(57)【要約】【課題】同期確立までの時間を短縮することができるような初期同期制御装置を提供する。【解決手段】初期同期制御装置１０は、パス情報を用いて受信信号に対して逆拡散処理を施す逆拡散手段１１と、逆拡散手段からの出力に対して復調処理を施す復調手段１２と、受信信号から遅延プロファイルを生成する遅延プロファイル生成手段１３と、遅延プロファイルに基づいてパスサーチを行いパス情報およびパス選択有無情報を出力するパスサーチ手段１４と、パス選択有無情報に応じてチャネル起動後のパス選択の有無を判定する初期同期動作制御手段１５と、チャネル起動後パスを選択するまで復調手段における復調処理を停止させる復調処理停止制御手段１６と、チャネル起動後パスを選択するまで遅延プロファイル生成手段における遅延プロファイル生成時の窓幅をパスサーチ範囲とする遅延プロファイル窓幅制御手段１７と、を備えている。【選択図】図１
2005303568.tif 000002
【特許請求の範囲】
【請求項１】
パス情報を用いて受信信号に対して逆拡散処理を施す逆拡散手段と、
前記逆拡散手段からの出力に対して復調処理を施す復調手段と、
前記受信信号から遅延プロファイルを生成する遅延プロファイル生成手段と、
前記遅延プロファイルに基づいてパスサーチを行い前記パス情報およびチャネル起動後のパス選択の有無を示すパス選択有無情報を出力するパスサーチ手段と、
前記パス選択有無情報に応じてチャネル起動後のパス選択の有無を判定する初期同期動作制御手段と、
前記初期同期動作制御手段により制御されチャネル起動後パスを選択するまで前記復調手段における復調処理を停止させる復調処理停止制御手段と、
前記初期同期動作制御手段により制御されチャネル起動後パスを選択するまで前記遅延プロファイル生成手段における遅延プロファイル生成時の窓幅をパスサーチ範囲とする遅延プロファイル窓幅制御手段と、
を備えた初期同期制御装置。
【請求項２】
パス情報を用いて受信信号に対して逆拡散処理を施す逆拡散手段と、
前記逆拡散手段からの出力に対して復調処理を施す復調手段と、
前記受信信号から遅延プロファイルを生成する遅延プロファイル生成手段と、
前記遅延プロファイルに基づいてパスサーチを行い前記パス情報およびチャネル起動後のパス選択の有無を示すパス選択有無情報を出力するパスサーチ手段と、
前記パス選択有無情報に応じてチャネル起動後のパス選択の有無を判定する初期同期動作制御手段と、
前記初期同期動作制御手段により制御されチャネル起動後パスを選択するまで前記復調手段における復調処理を停止させる復調処理停止制御手段と、
前記初期同期動作制御手段により制御されチャネル起動後パスを選択するまで前記遅延プロファイル生成手段における遅延プロファイル生成の周期を早くする遅延プロファイル周期制御手段と、
を備えた初期同期制御装置。
【請求項３】
前記パスサーチ手段は、前記初期同期動作制御手段により選択制御される初期同期用パスサーチ手段および通常パスサーチ手段を含む請求項１または２に記載の初期同期制御装置。
【請求項４】
パス情報を用いて受信信号に対して逆拡散処理を施す逆拡散手段と、
前記逆拡散手段からの出力に対して復調処理を施す復調手段と、
前記受信信号から遅延プロファイルを生成する遅延プロファイル生成手段と、
前記遅延プロファイルに基づいてパスサーチを行い前記パス情報およびチャネル起動後のパス選択の有無を示すパス選択有無情報を出力するパスサーチ手段と、
前記パス選択有無情報に応じてチャネル起動後のパス選択の有無を判定する初期同期動作制御手段と、
前記初期同期動作制御手段により制御されチャネル起動後パスを選択するまで前記復調手段における復調処理を停止させる復調処理停止制御手段と、
基準となる伝搬遅延の非設定時に前記初期同期動作制御手段により制御されチャネル起動後パスを選択するまで前記遅延プロファイル生成手段における遅延プロファイル生成時の窓幅をパスサーチ範囲とする遅延プロファイル窓幅制御手段と、
前記基準となる伝搬遅延の設定時に前記初期同期動作制御手段により制御されチャネル起動後パスを選択するまで前記遅延プロファイル生成手段における遅延プロファイル生成の周期を早くする遅延プロファイル周期制御手段と、
を備え、前記パスサーチ手段は、前記初期同期動作制御手段により選択制御される初期同期用パスサーチ手段および通常パスサーチ手段を含む初期同期制御装置。
【発明の詳細な説明】
【技術分野】
【０００１】
本発明は、例えばＷ−ＣＤＭＡ（Wideband-Code Division Multiple Access）基地局装置に用いられる初期同期制御装置に関する。
【背景技術】
【０００２】
例えばＷ−ＣＤＭＡ基地局装置において、従来の初期同期制御装置では、固定窓幅の位置を移動させ遅延プロファイルの生成やパスサーチを行っていた。また、従来の同期制御装置では、フレーム当たり固定区間のパイロットシンボルを用い遅延プロファイルの生成やパスサーチを行っていた。
【０００３】
なお、特許文献１には、遅延プロファイルを生成する際のマッチドフィルタの動作を抑制することにより、消費電力を低減することが可能なＣＤＭＡ用受信装置が開示されている。
【０００４】
【特許文献１】特開２００１−１６１３４号公報
【発明の開示】
【発明が解決しようとする課題】
【０００５】
しかしながら、従来の初期同期制御装置においては、一定時間パスサーチおよび復号処理を行い、同期確立しない時は窓を移動させ再度パスサーチおよび復号処理を行っていたので、同期確立まで時間がかかるという問題があった。また、従来の同期制御装置においては、チャネル起動時は遅延プロファイルの生成時間が短く、正しいパスサーチができるまで時間がかかるという問題があった。
【０００６】
本発明は、係る事情に鑑みてなされたものであり、同期確立までの時間を短縮することができるような初期同期制御装置を提供することを目的とする。
【課題を解決するための手段】
【０００７】
本発明の初期同期制御装置は、パス情報を用いて受信信号に対して逆拡散処理を施す逆拡散手段と、前記逆拡散手段からの出力に対して復調処理を施す復調手段と、前記受信信号から遅延プロファイルを生成する遅延プロファイル生成手段と、前記遅延プロファイルに基づいてパスサーチを行い前記パス情報およびチャネル起動後のパス選択の有無を示すパス選択有無情報を出力するパスサーチ手段と、前記パス選択有無情報に応じてチャネル起動後のパス選択の有無を判定する初期同期動作制御手段と、前記初期同期動作制御手段により制御されチャネル起動後パスを選択するまで前記復調手段における復調処理を停止させる復調処理停止制御手段と、前記初期同期動作制御手段により制御されチャネル起動後パスを選択するまで前記遅延プロファイル生成手段における遅延プロファイル生成時の窓幅をパスサーチ範囲とする遅延プロファイル窓幅制御手段と、を備えている。
【０００８】
この構成によれば、チャネル起動後パスを選択するまで復調処理を停止させ、遅延プロファイル生成時の窓幅をパスサーチ範囲とするので、窓を移動させずに初期同期を行い、同期確立までの時間を短縮することができる。
【０００９】
また、本発明の初期同期制御装置は、パス情報を用いて受信信号に対して逆拡散処理を施す逆拡散手段と、前記逆拡散手段からの出力に対して復調処理を施す復調手段と、前記受信信号から遅延プロファイルを生成する遅延プロファイル生成手段と、前記遅延プロファイルに基づいてパスサーチを行い前記パス情報およびチャネル起動後のパス選択の有無を示すパス選択有無情報を出力するパスサーチ手段と、前記パス選択有無情報に応じてチャネル起動後のパス選択の有無を判定する初期同期動作制御手段と、前記初期同期動作制御手段により制御されチャネル起動後パスを選択するまで前記復調手段における復調処理を停止させる復調処理停止制御手段と、前記初期同期動作制御手段により制御されチャネル起動後パスを選択するまで前記遅延プロファイル生成手段における遅延プロファイル生成の周期を早くする遅延プロファイル周期制御手段と、を備えている。
【００１０】
この構成によれば、チャネル起動後パスを選択するまで復調処理を停止させ、遅延プロファイル生成の周期を早くするので、早く正確な遅延プロファイルを用いたパスサーチを行い、同期確立までの時間を短縮することができる。
【００１１】
また、本発明の初期同期制御装置は、前記パスサーチ手段が、前記初期同期動作制御手段により選択制御される初期同期用パスサーチ手段および通常パスサーチ手段を含むものを含む。
【００１２】
この構成によれば、選択的に用いられる初期同期用パスサーチ手段および通常パスサーチ手段を設けているので、初期同期時のパスサーチ処理を削減でき、より広い窓幅でのパスサーチが可能となる。
【００１３】
また、本発明の初期同期制御装置は、パス情報を用いて受信信号に対して逆拡散処理を施す逆拡散手段と、前記逆拡散手段からの出力に対して復調処理を施す復調手段と、前記受信信号から遅延プロファイルを生成する遅延プロファイル生成手段と、前記遅延プロファイルに基づいてパスサーチを行い前記パス情報およびチャネル起動後のパス選択の有無を示すパス選択有無情報を出力するパスサーチ手段と、前記パス選択有無情報に応じてチャネル起動後のパス選択の有無を判定する初期同期動作制御手段と、前記初期同期動作制御手段により制御されチャネル起動後パスを選択するまで前記復調手段における復調処理を停止させる復調処理停止制御手段と、基準となる伝搬遅延の非設定時に前記初期同期動作制御手段により制御されチャネル起動後パスを選択するまで前記遅延プロファイル生成手段における遅延プロファイル生成時の窓幅をパスサーチ範囲とする遅延プロファイル窓幅制御手段と、前記基準となる伝搬遅延の設定時に前記初期同期動作制御手段により制御されチャネル起動後パスを選択するまで前記遅延プロファイル生成手段における遅延プロファイル生成の周期を早くする遅延プロファイル周期制御手段と、を備え、前記パスサーチ手段が、前記初期同期動作制御手段により選択制御される初期同期用パスサーチ手段および通常パスサーチ手段を含む。
【００１４】
この構成によれば、基準となる伝搬遅延の非設定時には、チャネル起動後パスを選択するまで復調処理を停止させ、遅延プロファイル生成時の窓幅をパスサーチ範囲とすることにより、窓を移動させずに初期同期を行い、同期確立までの時間を短縮することができる。一方、基準となる伝搬遅延の設定時には、チャネル起動後パスを選択するまで復調処理を停止させ、遅延プロファイル生成の周期を早くすることにより、早く正確な遅延プロファイルを用いたパスサーチを行い、同期確立までの時間を短縮することができる。
【発明の効果】
【００１５】
本発明によれば、不要な処理を停止させ、遅延プロファイル生成の処理量（窓幅）を増加することができ、窓を移動させずに初期同期を行い、同期確立までの時間を短縮することができる。また、本発明によれば、不要な処理を停止させ、遅延プロファイル生成の処理量（生成周期）を増加することができ、早く正確な遅延プロファイルを用いたパスサーチを行い、同期確立までの時間を短縮することができる。
【発明を実施するための最良の形態】
【００１６】
以下、本発明を実施するための好適な実施の形態について、図面を参照して詳細に説明する。
【００１７】
（実施の形態１）
図１は、本発明の実施の形態１に係る初期同期制御装置の構成を示すブロック図である。図１において、本実施の形態に係る初期同期制御装置１０は、逆拡散部１１と、復調部１２と、マッチドフィルタ部１３と、パスサーチ部１４と、初期同期動作制御部１５と、復調処理停止制御部１６と、遅延プロファイル窓幅制御部１７とを備えている。
【００１８】
逆拡散部１１は、パス情報を用いて受信信号に対して逆拡散処理（スペクトル逆拡散処理）を施すものである。復調部１２は、逆拡散部１１からの出力に対して復調処理（Ｆｉｎｇｅｒ、同期検波、ＲＡＫＥ合成等）を施すものである。マッチドフィルタ部１３は、受信信号から遅延プロファイルを生成するものである。パスサーチ部１４は、生成された遅延プロファイルに基づいてパスサーチを行いパス情報およびチャネル起動後のパス選択の有無を示すパス選択有無情報を出力するものである。初期同期動作制御部１５は、当該パス選択有無情報に応じてチャネル起動後のパス選択の有無を判定するものである。復調処理停止制御部１６は、初期同期動作制御部１５により制御されチャネル起動後パスを選択するまで復調部１２における復調処理を停止させるものである。遅延プロファイル窓幅制御部１７は、初期同期動作制御部１５により制御されチャネル起動後パスを選択するまでマッチドフィルタ部１３における遅延プロファイル生成時の窓幅をパスサーチ範囲とするものである。
【００１９】
次に、このような構成を有する本実施の形態に係る初期同期制御装置１０の動作について、図６のフローチャートを参照して説明する。まず、チャネルを起動させる（ステップＳ１０１）。次に、復調部１２における復調処理をＯＦＦに設定する（ステップＳ１０２）。次に、窓幅を拡大した状態でマッチドフィルタ部１３にて遅延プロファイルを生成する（ステップＳ１０３）。次に、窓幅を拡大した状態でパスサーチ部１４にてパスサーチを行う（ステップＳ１０４）。次に、初期同期動作制御部１５にてパス選択の有無を判定する（ステップＳ１０５）。無しの場合にはステップＳ１０３に戻るが、有りの場合には復調部１２における復調処理をＯＮに設定する（ステップＳ１０６）。次に、通常の窓幅でマッチドフィルタ部１３にて遅延プロファイルを生成する（ステップＳ１０７）。次に、通常の窓幅でパスサーチ部１４にてパスサーチを行う（ステップＳ１０８）。次に、復調部１２にて復調処理を行う（ステップＳ１０９）。次に、起動中のチャネルを停止させるか否かを判定する（ステップＳ１１０）。停止させない場合にはステップＳ１０７に戻るが、停止させる場合には処理を終了する。
【００２０】
このように、本実施の形態に係る初期同期制御装置１０によれば、不要な処理を停止させ、遅延プロファイル生成の処理量（窓幅）を増加することができ、窓を移動させずに初期同期を行い、同期確立までの時間を短縮することができる。なお、処理可能な窓幅がパスサーチ範囲より狭い場合は窓を移動させ（従来装置と同様）パスサーチを行う。この場合でも従来装置より窓幅が広く窓を移動させる回数が減少するので、同期確立までの時間は短縮できる。
【００２１】
（実施の形態２）
図２は、本発明の実施の形態２に係る初期同期制御装置の構成を示すブロック図である。図２において、本実施の形態に係る初期同期制御装置２０は、逆拡散部１１と、復調部１２と、マッチドフィルタ部１３と、初期同期用パスサーチ部１４Ａと、通常パスサーチ部１４Ｂと、初期同期動作制御部１５と、復調処理停止制御部１６と、遅延プロファイル窓幅制御部１７とを備えている。
【００２２】
初期同期用パスサーチ部１４Ａおよび通常パスサーチ部１４Ｂは、初期同期動作制御部１５により選択制御されるものである。初期同期用パスサーチ部１４Ａは、遅延プロファイルを平均化する処理と、得られた平均値からパス選択しきい値を算出する処理と、遅延プロファイルから最大値を算出する処理と、該パス選択しきい値と遅延プロファイルの最大値を比較し、最大値が大きい場合にパスを選択したと判定する処理とを行う。なお、初期同期用パスサーチ部１４Ａおよび通常パスサーチ部１４Ｂ以外の各部の構成については、実施の形態１と同様であり、ここでは説明を省略する。
【００２３】
次に、このような構成を有する本実施の形態に係る初期同期制御装置２０の動作について、図７のフローチャートを参照して説明する。まず、チャネルを起動させる（ステップＳ２０１）。次に、復調部１２における復調処理をＯＦＦに設定する（ステップＳ２０２）。次に、窓幅を拡大した状態でマッチドフィルタ部１３にて遅延プロファイルを生成する（ステップＳ２０３）。次に、初期同期用パスサーチ部１４Ａにてパスサーチ（最大値検出、しきい値判定等）を行う（ステップＳ２０４）。次に、初期同期動作制御部１５にてパス選択の有無を判定する（ステップＳ２０５）。無しの場合にはステップＳ２０３に戻るが、有りの場合には復調部１２における復調処理をＯＮに設定する（ステップＳ２０６）。次に、通常の窓幅でマッチドフィルタ部１３にて遅延プロファイルを生成する（ステップＳ２０７）。次に、通常パスサーチ部１４Ｂにてパスサーチ（通常動作）を行う（ステップＳ２０８）。次に、復調部１２にて復調処理を行う（ステップＳ２０９）。次に、起動中のチャネルを停止させるか否かを判定する（ステップＳ２１０）。停止させない場合にはステップＳ２０７に戻るが、停止させる場合には処理を終了する。
【００２４】
このように、本実施の形態に係る初期同期制御装置２０によれば、初期同期時のパスサーチ処理を削減でき、より広い窓幅でのパスサーチが可能となり、実施の形態１と同様の理由により同期確立までの時間を短縮することができる。
【００２５】
（実施の形態３）
図３は、本発明の実施の形態３に係る初期同期制御装置の構成を示すブロック図である。図３において、本実施の形態に係る初期同期制御装置３０は、逆拡散部１１と、復調部１２と、マッチドフィルタ部１３と、パスサーチ部１４と、初期同期動作制御部１５と、復調処理停止制御部１６と、遅延プロファイル周期制御部１８とを備えている。
【００２６】
逆拡散部１１は、パス情報を用いて受信信号に対して逆拡散処理（スペクトル逆拡散処理）を施すものである。復調部１２は、逆拡散部１１からの出力に対して復調処理（Ｆｉｎｇｅｒ、同期検波、ＲＡＫＥ合成等）を施すものである。マッチドフィルタ部１３は、受信信号から遅延プロファイルを生成するものである。パスサーチ部１４は、生成された遅延プロファイルに基づいてパスサーチを行いパス情報およびチャネル起動後のパス選択の有無を示すパス選択有無情報を出力するものである。初期同期動作制御部１５は、当該パス選択有無情報に応じてチャネル起動後のパス選択の有無を判定するものである。復調処理停止制御部１６は、初期同期動作制御部１５により制御されチャネル起動後パスを選択するまで復調部１２における復調処理を停止させるものである。遅延プロファイル周期制御部１８は、初期同期動作制御部１５により制御されチャネル起動後パスを選択するまでマッチドフィルタ部１３における遅延プロファイル生成の周期を早くするものである。
【００２７】
次に、このような構成を有する本実施の形態に係る初期同期制御装置３０の動作について、図８のフローチャートを参照して説明する。まず、チャネルを起動させる（ステップＳ３０１）。次に、復調部１２における復調処理をＯＦＦに設定する（ステップＳ３０２）。次に、マッチドフィルタ部１３にて遅延プロファイルを生成する（ステップＳ３０３）。次に、更にマッチドフィルタ部１３にて遅延プロファイルを生成する（ステップＳ３０４）。次に、パスサーチ部１４にてパスサーチを行う（ステップＳ３０５）。次に、初期同期動作制御部１５にてパス選択の有無を判定する（ステップＳ３０６）。無しの場合にはステップＳ３０３に戻るが、有りの場合には復調部１２における復調処理をＯＮに設定する（ステップＳ３０７）。次に、マッチドフィルタ部１３にて遅延プロファイルを生成する（ステップＳ３０８）。次に、パスサーチ部１４にてパスサーチを行う（ステップＳ３０９）。次に、復調部１２にて復調処理を行う（ステップＳ３１０）。次に、起動中のチャネルを停止させるか否かを判定する（ステップＳ３１１）。停止させない場合にはステップＳ３０８に戻るが、停止させる場合には処理を終了する。
【００２８】
このように、本実施の形態に係る初期同期制御装置３０によれば、不要な処理を停止させ、遅延プロファイル生成の処理量（生成周期）を増加することができ、早く正確な遅延プロファイルを用いたパスサーチを行い、同期確立までの時間を短縮することができる。
【００２９】
（実施の形態４）
図４は、本発明の実施の形態４に係る初期同期制御装置の構成を示すブロック図である。図４において、本実施の形態に係る初期同期制御装置４０は、逆拡散部１１と、復調部１２と、マッチドフィルタ部１３と、初期同期用パスサーチ部１４Ａと、通常パスサーチ部１４Ｂと、初期同期動作制御部１５と、復調処理停止制御部１６と、遅延プロファイル周期制御部１８とを備えている。
【００３０】
初期同期用パスサーチ部１４Ａおよび通常パスサーチ部１４Ｂは、初期同期動作制御部１５により選択制御されるものである。初期同期用パスサーチ部１４Ａは、遅延プロファイルを平均化する処理と、得られた平均値からパス選択しきい値を算出する処理と、遅延プロファイルから最大値を算出する処理と、該パス選択しきい値と遅延プロファイルの最大値を比較し、最大値が大きい場合にパスを選択したと判定する処理とを行う。なお、初期同期用パスサーチ部１４Ａおよび通常パスサーチ部１４Ｂ以外の各部の構成については、実施の形態３と同様であり、ここでは説明を省略する。
【００３１】
次に、このような構成を有する本実施の形態に係る初期同期制御装置４０の動作について、図９のフローチャートを参照して説明する。まず、チャネルを起動させる（ステップＳ４０１）。次に、復調部１２における復調処理をＯＦＦに設定する（ステップＳ４０２）。次に、マッチドフィルタ部１３にて遅延プロファイルを生成する（ステップＳ４０３）。次に、更にマッチドフィルタ部１３にて遅延プロファイルを生成する（ステップＳ４０４）。次に、初期同期用パスサーチ部１４Ａにてパスサーチ（最大値検出、しきい値判定等）を行う（ステップＳ４０５）。次に、初期同期動作制御部１５にてパス選択の有無を判定する（ステップＳ４０６）。無しの場合にはステップＳ４０３に戻るが、有りの場合には復調部１２における復調処理をＯＮに設定する（ステップＳ４０７）。次に、マッチドフィルタ部１３にて遅延プロファイルを生成する（ステップＳ４０８）。次に、通常パスサーチ部１４Ｂにてパスサーチ（通常動作）を行う（ステップＳ４０９）。次に、復調部１２にて復調処理を行う（ステップＳ４１０）。次に、起動中のチャネルを停止させるか否かを判定する（ステップＳ４１１）。停止させない場合にはステップＳ４０８に戻るが、停止させる場合には処理を終了する。
【００３２】
このように、本実施の形態に係る初期同期制御装置４０によれば、初期同期時のパスサーチ処理を削減でき、より広い窓幅でのパスサーチが可能となり、実施の形態３と同様の理由により同期確立までの時間を短縮することができる。
【００３３】
（実施の形態５）
図５は、本発明の実施の形態５に係る初期同期制御装置の構成を示すブロック図である。図５において、本実施の形態に係る初期同期制御装置５０は、逆拡散部１１と、復調部１２と、マッチドフィルタ部１３と、初期同期用パスサーチ部１４Ａと、通常パスサーチ部１４Ｂと、初期同期動作制御部１５と、復調処理停止制御部１６と、遅延プロファイル窓幅制御部１７と、遅延プロファイル周期制御部１８とを備えている。
【００３４】
逆拡散部１１は、パス情報を用いて受信信号に対して逆拡散処理（スペクトル逆拡散処理）を施すものである。復調部１２は、逆拡散部１１からの出力に対して復調処理（Ｆｉｎｇｅｒ、同期検波、ＲＡＫＥ合成等）を施すものである。マッチドフィルタ部１３は、受信信号から遅延プロファイルを生成するものである。初期同期用パスサーチ部１４Ａおよび通常パスサーチ部１４Ｂは、初期同期動作制御部１５により選択制御されるものである。初期同期用パスサーチ部１４Ａは、生成された遅延プロファイルに基づいてパスサーチを行いパス情報およびチャネル起動後のパス選択の有無を示すパス選択有無情報を出力するものである。通常パスサーチ部１４Ｂは、生成された遅延プロファイルに基づいてパスサーチを行いパス情報を出力するものである。初期同期動作制御部１５は、当該パス選択有無情報に応じてチャネル起動後のパス選択の有無を判定するものである。復調処理停止制御部１６は、初期同期動作制御部１５により制御されチャネル起動後パスを選択するまで復調部１２における復調処理を停止させるものである。遅延プロファイル窓幅制御部１７は、基準となる伝搬遅延の非設定時に初期同期動作制御部１５により制御されチャネル起動後パスを選択するまでマッチドフィルタ部１３における遅延プロファイル生成時の窓幅をパスサーチ範囲とするものである。遅延プロファイル周期制御部１８は、基準となる伝搬遅延の設定時に初期同期動作制御部１５により制御されチャネル起動後パスを選択するまでマッチドフィルタ部１３における遅延プロファイル生成の周期を早くするものである。
【００３５】
次に、このような構成を有する本実施の形態に係る初期同期制御装置５０の動作について、図１０のフローチャートを参照して説明する。まず、チャネルを起動させる（ステップＳ５０１）。次に、復調部１２における復調処理をＯＦＦに設定する（ステップＳ５０２）。次に、初期同期動作制御部１５にて基準となる伝搬遅延の設定の有無を判定する（ステップＳ５０３）。無しの場合には、窓幅を拡大した状態でマッチドフィルタ部１３にて遅延プロファイルを生成する（ステップＳ５０４）。次に、初期同期用パスサーチ部１４Ａにてパスサーチ（最大値検出、しきい値判定等）を行う（ステップＳ５０５）。次に、初期同期動作制御部１５にてパス選択の有無を判定する（ステップＳ５０６）。無しの場合にはステップＳ５０４に戻るが、有りの場合には復調部１２における復調処理をＯＮに設定する（ステップＳ５０７）。次に、マッチドフィルタ部１３にて遅延プロファイルを生成する（ステップＳ５０８）。次に、通常パスサーチ部１４Ｂにてパスサーチ（通常動作）を行う（ステップＳ５０９）。次に、復調部１２にて復調処理を行う（ステップＳ５１０）。次に、起動中のチャネルを停止させるか否かを判定する（ステップＳ５１１）。停止させない場合にはステップＳ５０８に戻るが、停止させる場合には処理を終了する。一方、ステップＳ５０３で有りの場合には、マッチドフィルタ部１３にて遅延プロファイルを生成する（ステップＳ５１２）。次に、更にマッチドフィルタ部１３にて遅延プロファイルを生成する（ステップＳ５１３）。次に、初期同期用パスサーチ部１４Ａにてパスサーチ（最大値検出、しきい値判定等）を行う（ステップＳ５１４）。次に、初期同期動作制御部１５にてパス選択の有無を判定する（ステップＳ５１５）。無しの場合にはステップＳ５１２に戻るが、有りの場合にはステップＳ５０７に進む。
【００３６】
このように、本実施の形態に係る初期同期制御装置５０によれば、不要な処理を停止させ、遅延プロファイル生成の処理量（窓幅）を増加することができ、窓を移動させずに初期同期を行い、同期確立までの時間を短縮することができる。あるいは、不要な処理を停止させ、遅延プロファイル生成の処理量（生成周期）を増加することができ、早く正確な遅延プロファイルを用いたパスサーチを行い、同期確立までの時間を短縮することができる。
【産業上の利用可能性】
【００３７】
本発明は、同期確立までの時間を短縮することができるといった効果を有し、例えばＷ−ＣＤＭＡ基地局装置に用いられる初期同期制御装置に適用が可能である。
【図面の簡単な説明】
【００３８】
【図１】本発明の実施の形態１に係る初期同期制御装置の構成を示すブロック図
【図２】本発明の実施の形態２に係る初期同期制御装置の構成を示すブロック図
【図３】本発明の実施の形態３に係る初期同期制御装置の構成を示すブロック図
【図４】本発明の実施の形態４に係る初期同期制御装置の構成を示すブロック図
【図５】本発明の実施の形態５に係る初期同期制御装置の構成を示すブロック図
【図６】本発明の実施の形態１に係る初期同期制御装置の動作を説明するためのフローチャート
【図７】本発明の実施の形態２に係る初期同期制御装置の動作を説明するためのフローチャート
【図８】本発明の実施の形態３に係る初期同期制御装置の動作を説明するためのフローチャート
【図９】本発明の実施の形態４に係る初期同期制御装置の動作を説明するためのフローチャート
【図１０】本発明の実施の形態５に係る初期同期制御装置の動作を説明するためのフローチャート
【符号の説明】
【００３９】
１０、２０、３０、４０、５０  初期同期制御装置
１１  逆拡散部
１２  復調部
１３  マッチドフィルタ部
１４  パスサーチ部
１４Ａ  初期同期用パスサーチ部
１４Ｂ  通常パスサーチ部
１５  初期同期動作制御部
１６  復調処理停止制御部
１７  遅延プロファイル窓幅制御部
１８  遅延プロファイル周期制御部
【図１】
2005303568.tif 000003
【図２】
2005303568.tif 000004
【図３】
2005303568.tif 000005
【図４】
2005303568.tif 000006
【図５】
2005303568.tif 000007
【図６】
2005303568.tif 000008
【図７】
2005303568.tif 000009
【図８】
2005303568.tif 000010
【図９】
2005303568.tif 000011
【図１０】
2005303568.tif 000012